(57)【要約】【課題】コストが低くてすむＬＥＤを用い、しかも加熱部の動作状態等の変化を文字で表すことができ、天板のデザインとしても好ましい表示部を備えた加熱調理器を提供すること。【解決手段】下面にＬＥＤユニット７が設けられた天板３と、天板３の下部に設けた加熱部５とを有し、ＬＥＤユニット７は、フィルター８と、フィルター８の下部に位置しＬＥＤ９からなる発光部を有するＬＥＤ室１０とを備え、フィルター８に発光部から発光された異なる波長の光のいずれかを選択的に遮断する文字Ａを設けて、フィルター８を天板３の裏面に近接配置し、発光部からいずれかの波長の光を発光させ、発光された波長の光によって遮断された文字Ａと遮断されなかった光とによって天板３に加熱部の状態表示を行うようにした。【選択図】図３
2011096589.tif 000002
【特許請求の範囲】
【請求項１】
下面にＬＥＤユニットが設けられた天板と、
該天板の下部に設けた加熱部とを有し、
前記ＬＥＤユニットは、フィルターと、前記フィルターの下部に位置しＬＥＤからなる発光部を有するＬＥＤ室とを備え、
前記フィルターに前記発光部から発光された異なる波長の光のいずれかを選択的に遮断する文字を設けて該フィルターを前記天板の裏面に近接配置し、
前記発光部からいずれかの波長の光を発光させ、該発光された波長の光によって遮断された文字と遮断されなかった光とによって前記天板に前記加熱部の状態表示を行うことを特徴とする加熱調理器。
【請求項２】
前記発光部はオレンジ色と青色からなる波長の２色発光であり、前記フィルターに前記オレンジ色または青色の光のいずれかを遮断するオレンジ色遮断文字および青色遮断文字を形成し、
前記発光部からオレンジ色の波長の光を発光させ、前記オレンジ色の波長の光によって遮断されたオレンジ色遮断文字と遮断されなかったオレンジ色のバックライトとによって前記フィルターに第１の状態表示を行い、
前記発光部から青色の波長の光を発光させ、前記青色の波長の光によって遮断された青色遮断文字と遮断されなかった青色のバックライトとによって前記フィルターに第２の状態表示を行うことを特徴とする請求項１記載の加熱調理器。
【請求項３】
前記それぞれの遮断文字は前記フィルター面に一部が重複して記載されたものであることを特徴とする請求項１または２記載の加熱調理器。
【請求項４】
前記ＬＥＤユニットを設けた天板は前記ＬＥＤユニットの表示エリアを備え、
前記ＬＥＤユニットのフィルターを前記天板の表示エリアの裏面に近接配設し、前記表示エリアに前記遮断文字と前記遮断文字によって遮断されなかった光とを表示することを特徴とする請求項１〜３のいずれかに記載の加熱調理器。
【請求項５】
前記ＬＥＤユニットの表示エリアは、前記発光部が非点灯時に、黒色、天板と同じ模様、またはミラー表示のいずれかであることを特徴とする請求項１〜４のいずれかに記載の加熱調理器。
【請求項６】
前記フィルターは耐熱材からなることを特徴とする請求項１〜５のいずれかに記載の加熱調理器。
【請求項７】
前記発光部は２つのＬＥＤからなり、それぞれのＬＥＤが異なる波長の光を発光することを特徴とする請求項１〜６のいずれかに記載の加熱調理器。
【請求項８】
前記発光部は１つのＬＥＤからなり、該１つのＬＥＤが異なる波長の光を発光することを特徴とする請求項１〜６のいずれかに記載の加熱調理器。
【請求項９】
前記ＬＥＤを点滅させて点灯させることを特徴とする請求項１〜８のいずれかに記載の加熱調理器。
【請求項１０】
前記ＬＥＤユニットは前記加熱部の近傍に設けられたことを特徴とする請求項１〜９のいずれかに記載の加熱調理器。
【請求項１１】
前記加熱部は少なくとも前記天面の前側の左右の２個所に設けられ、その外側手前にそれぞれＬＥＤユニットを備えたことを特徴とする請求項１０記載の加熱調理器。
【請求項１２】
前記ＬＥＤユニットは１つのＬＥＤ室からなり、前記１つのＬＥＤ室にＬＥＤからなる発光部を設けたことを特徴とする請求項１１記載の加熱調理器。
【請求項１３】
前記加熱部は少なくとも前記天面の前側の左右の２個所に設けられ、その中央手前にＬＥＤユニットを備えたことを特徴とする請求項１０記載の加熱調理器。
【請求項１４】
前記ＬＥＤユニットは複数のＬＥＤ室に区画され、各室ごとにＬＥＤからなる発光部を設けたことを特徴とする請求項１３記載の加熱調理器。
【発明の詳細な説明】
【技術分野】
【０００１】
本発明は、加熱調理器に係り、より詳しくは、特殊フィルターを用いて、加熱調理器の動作状態や、注意喚起等を、文字や色を用いて表示することができる加熱調理器に関するものである。
【背景技術】
【０００２】
従来、加熱調理器の電磁誘導加熱部の動作状態を表示するための発光部として、一般にＬＥＤ（Light Emitting Diode）が使用されていた（例えば、特許文献１参照）。
【先行技術文献】
【特許文献】
【０００３】
【特許文献１】特許第２８２２６０８号公報（第２頁−第３頁、図１、図２）
【発明の概要】
【発明が解決しようとする課題】
【０００４】
特許文献１のように、発光部にＬＥＤを用いた場合は、加熱調理器の動作状態等の変化を文字で表すことができないため、加熱部の動作状態等の変化がわかりにくかった。
また、発光部として文字で動作状態等を表示するＬＣＤを用いることもできるが、コストが高くなってしまうという問題があった。
【０００５】
本発明は、上記のような課題を解決するためになされたもので、コストが低くてすむＬＥＤを用い、しかも加熱部の動作状態等の変化を文字で表すことができ、天板のデザインとしても好ましい表示部を備えた加熱調理器を提供することを目的とする。
【課題を解決するための手段】
【０００６】
本発明に係る加熱調理器は、
下面にＬＥＤユニットが設けられた天板と、
天板の下部に設けた加熱部とを有し、
ＬＥＤユニットは、フィルターと、フィルターの下部に位置しＬＥＤからなる発光部を有するＬＥＤ室とを備え、
フィルターに発光部から発光された異なる波長の光のいずれかを選択的に遮断する文字を設けてフィルターを天板の裏面に近接配置し、
発光部からいずれかの波長の光を発光させ、発光された波長の光によって遮断された文字と遮断されなかった光とによって天板に加熱部の状態表示を行うようにした。
【発明の効果】
【０００７】
本発明によれば、ＬＥＤを発光部として用いたのでコストを低く抑えることができ、しかも加熱部の動作状態等の変化を文字で表示することができ、さらにＬＥＤの発光時、非発光時のいずれにおいても天板のデザインとしても好ましい表示エリアを備えた加熱調理器を提供することができる。
【図面の簡単な説明】
【０００８】
【図１】本発明の実施の形態１に係る加熱調理器の平面図である。
【図２】図１の縦断面図である。
【図３】図２の要部を拡大した縦断面図である。
【図４】図１の加熱調理器の特殊フィルターの作用説明図である。
【図５】図１の加熱調理器の特殊フィルターの作用説明図である。
【図６】本発明の実施の形態２に係る加熱調理器の平面図である。
【図７】図６の加熱調理器の表示面の作用説明図である。
【発明を実施するための形態】
【０００９】
実施の形態１．
図１、図２において、電磁誘導加熱調理器（以下、単に加熱調理器という）の器具本体１の上部開口部２には、耐熱ガラスからなる天板３が設けられている。天板３の表面には前側左右と後側中央に被加熱物の載置部４ａ〜４ｂ（以下、単に４と記すことがある）が設けられ、それぞれの裏側には電磁誘導加熱部５ａ〜５ｃ（以下、単に５と記すことがある）が設けられている。なお、電磁誘導加熱部５ａ〜５ｂ（以下、単に加熱部という）は、そのうちの一部をヒーターによる加熱部としてもよい。
【００１０】
さらに、天板３の表面には載置部４ａ〜４ｂの近傍にそれぞれ電磁誘導加熱部５ａ〜５ｃの動作状態を表示する表示面６ａ〜６ｃ（表示エリア）（以下、単に６と記すことがある）が設けられている。左側の表示面６ａは載置部４ａの手前左側に設けられ、右側の表示面６ｂは載置部４ｂの手前右側に設けられており、後側の表示面６ｃは載置部４ｃの手前（表示面６ａ、６ｂよりやや後側）に設けられている。これらの表示面６ａ〜６ｃは大きく形成されて判別が容易になるようにしてある。表示面６ａ〜６ｃの裏側には、温度センサ（図示せず）によって検知された電磁誘導加熱部５ａ〜５ｃの状態を、文字、色で表示するＬＥＤユニット７ａ〜７ｃ（以下、単に７と記すことがある）が設けられている。
【００１１】
図３に示すように、ＬＥＤユニット７には特殊フィルター８（８ａ〜８ｃ）が設けられており、表示面６の裏面に近接配設されて動作状態を文字や色彩により表示し、表示面６越しに注意を喚起するようになっている。特殊フィルター８の下部には、発光部であるＬＥＤ９（９ａ〜９ｃ）を有するＬＥＤ室１０（１０ａ〜１０ｃ）が設けられている。ＬＥＤ９は、例えば青色の光を発光する第１のＬＥＤ９１とオレンジ色の光を発光する第２のＬＥＤ９２とからなる。この場合、第１のＬＥＤ９１を、緑色で発光させてもよい。
【００１２】
特殊フィルター８は、第１のＬＥＤ９１からの光（青色の光）と第２のＬＥＤ９２からの光（オレンジ色の光）とによって、フィルター８に表示される文字や色が変わるように構成されており、動作状態等を表示して注意を喚起するようにしてある。
より詳しくは、特殊フィルター８には、第１、第２のＬＥＤ９１、９２から発光された異なる波長の光のいずれかを遮断する文字が設けてあり（印刷等により記載）、発光された波長の光を遮断する文字と、その文字によって遮断されなかった光とによって表示面６に動作状態等が表示されるようになっている。第１のＬＥＤ９１（青色の光）が点灯したときは、青色遮断文字９１Ａによって青色の光が遮断されて文字が表示され、文字Ａ以外の部分Ｂ（バックライト部分）は青色の光が遮断されずに通過するので青色となる。また、第２のＬＥＤ９２（オレンジ色の光）が点灯したときは、オレンジ色遮断文字９２Ａによってオレンジ色の光が遮断されて文字が表示され、文字以外の部分Ｂ（バックライト部分）はオレンジ色の光が遮断されずに通過するのでオレンジ色となる。
この場合、文字とバックライトの点灯仕様を逆にしてもよい。例えば、青色の光の場合に必要な文字だけが青色で表示されてもよい。
なお、ＬＥＤ９が点灯していないときは、表示面６は真っ黒になっており、特殊フィルター８の文字は見えないようになっている。この場合、デザインを重視して、表示面６が天板３と同じ模様になるようにしてもよく、あるいはミラー表示になるようにしてもよい。
【００１３】
より具体的に説明すると、図４、図５に示すように、１枚の特殊フィルター８に青色遮断文字９１Ａ（「加熱待機中」）とオレンジ色遮断文字９２Ａ（「ＩＨ加熱中」）とが記載されている。そして、図４（ａ）に示すように、第１のＬＥＤ９１から発光された青色の光イ、ロ、ハを特殊フィルター８に通すと、光イは特殊フィルター８を通過し、光ロはオレンジ色遮断文字９２Ａを通過し、光ハは青色遮断文字９１Ａ（「加熱待機中」）によって遮断され、このため、図４（ｂ）に示すように、青色遮断文字９１Ａ（「加熱待機中」）が文字として表示され、他の部分Ｂ（光イ、ロが通過する部分）は青色となる。
【００１４】
一方、図５（ａ）に示すように、第２のＬＥＤ９２から発光された赤色の光ニ、ホ、ヘを特殊フィルター８に通すと、光ニは特殊フィルター８を通過し、光ホはオレンジ色遮断文字９２Ａ（「ＩＨ加熱中」）によって遮断され、光ヘは青色遮断文字９１Ａを通過し、このため、図５（ｂ）に示すように、オレンジ色遮断文字９２Ａ（「ＩＨ加熱中」）が文字として表示され、他の部分Ｂ（光ニ、ヘが通過する部分）はオレンジ色となる。なお、青色遮断文字９１Ａ（「加熱待機中」）とオレンジ色遮断文字９２Ａ（「ＩＨ加熱中」）は同一のフィルター面に離れて記載したが、一部が重複して記載されているものであってもよい。
【００１５】
上記の説明においては、ＬＥＤ室１０内にそれぞれ青色とオレンジ色の光を発光するＬＥＤ９（第１、第２のＬＥＤ９１、９２）を２個配設したが、青色とオレンジ色の光を選択的に発光することができるＬＥＤ９を１個配設するようにしてもよい。また、ＬＥＤ９は青色とオレンジ色の２色発光としたが、他の色であってもよく、また３色発光またはそれ以上の発光であってもよい。
なお、特殊フィルター８は、天板３付近の高温に耐えられるように耐熱材を使用することが望ましい。
【００１６】
次に、動作を説明する。
加熱調理器に通電していないときは、表示面６はすべて真っ黒になっており、動作文字は見えない。載置部４に被加熱体（図示せず）を載置して、加熱部５に通電して所定の印加電圧を印加すると、電磁誘導作用により被加熱体が加熱される。
加熱待機中は、図４に示すように、表示面６のバックライト部分Ｂは青色であり、「加熱待機中」と表示される。一方、加熱中は、図５に示すように、表示面６のバックライト部分Ｂはオレンジ色であり、「ＩＨ加熱中」と表示される。
なお、場合によりＬＥＤ９を点滅させて、動作状態がさらに注意すべきレベルにあることを表示してもよい。
【００１７】
実施の形態１によれば、上記のような特殊フィルター８を使用したので、ＬＥＤ９を使用した場合であっても、同一の表示面６に異なった状態表示をすることができ、ＬＣＤを使用する場合に比べてコストを低下させることができる。そして、動作状態に対応させて文字とバックライトの色を変えることができるので、状態表示を明確にして注意を喚起することができる。この際、表示面６を大きくして判別が容易になるようにしてあるので、視野角に関係なく注意を喚起することができる。また、ＬＥＤ９の非点灯時には、表示面６が黒色になっているので点灯時と非点灯時を明確に区別することができ、また、表示面６を天板３と同じ模様にし、あるいはミラー表示にした場合は、表示エリアを天面３のデザインの一部に取り入れることができ、デザイン性もよくなる。
【００１８】
実施の形態２．
実施の形態１では載置部４ａ〜４ｃの近傍に個々に表示面６ａ〜６ｃを配設したが、本実施の形態２では３つの加熱部５ａ〜５ｃの動作状態を１個所で表示できるようにしたものである。
図６において、表示面６１は後側の載置部４ｃの手前に設けたもので、左、右、後の表示面６１ａ〜６１ｃに区画されており、それぞれの表示面６１ａ〜６１ｃに対応して、３室（ＬＥＤ室１０１ａ〜１０１ｃ）に区画されたＬＥＤユニット７１が取り付けられている。そして、それぞれのＬＥＤ室１０１ａ〜１０１ｃの上部には特殊フィルター８１ａ〜８１ｃが設けられており、区画された表示面６１ａ〜６１ｃの裏面に近接して配置されている。また、区画されたＬＥＤ室１０１ａ〜１０１ｃのそれぞれには、ＬＥＤ９ａ〜９ｃが設けられており、それぞれのＬＥＤ９ａ〜９ｃは青色の光を発光する第１のＬＥＤ９１とオレンジ色の光を発光する第２のＬＥＤ９２とからなる。
【００１９】
次に、動作を説明する。
例えば、左側、右側、後側の加熱部５ａ、５ｂ、５ｃすべてに通電していないときは、図７（ａ）に示すように、左区画、右区画、後区画の表示面６１ａ、６１ｂ、６１ｃはすべて真っ黒になっており文字は見えない。
【００２０】
また、例えば、右側の加熱部５ｂが加熱待機状態にあり、左側、後側の加熱部５ａ、５ｃに通電していないときは、図７（ｂ）に示すように、右区画の表示面６１ｂのバックライトは青色であり「右ＩＨ加熱待機中」と表示され、左区画、後区画の表示面６１ａ、６１ｃは真っ黒になっており文字は見えない。
右区画の表示面６１ｂのバックライトが青色であり「右ＩＨ加熱待機中」と表示されるのは、ＬＥＤ９ｂの第１のＬＥＤ９１から発光された青色の光は、青色遮断文字９１Ａで遮断されて「右ＩＨ加熱待機中」の文字が表示され、文字以外の部分Ｂ（バックライト部分）は青色の光が遮断されずに通過して青色となるためである。
【００２１】
また、例えば、左側の加熱部５ａが加熱待機状態にあり、右側の加熱部５ｂが加熱状態にあり、後側の加熱部５ｃに通電していないときは、図７（ｃ）に示すように、左区画の表示面６１ａのバックライトは青色であり「左ＩＨ加熱待機中」と表示され、右区画の表示面６１ｂのバックライトはオレンジ色であり「右ＩＨ加熱中」と表示され、後区画の表示面６１ｃは真っ黒になっており文字は見えない。
左区画の表示面６１ａのバックライトが青色であり「左ＩＨ加熱待機中」と表示されるのは先と同じ理由による。また、右区画の表示面６１ｂのバックライトがオレンジ色であり「右ＩＨ加熱中」と表示されるのは、ＬＥＤ９ｂの第２のＬＥＤ９２から発光されたオレンジ色の光は、オレンジ色遮断文字９２Ａで遮断されて「右ＩＨ加熱中」の文字が表示され、文字以外の部分Ｂ（バックライト部分）はオレンジ色の光が遮断されずに通過してオレンジ色となるためである。
【００２２】
また、例えば、左側の電磁誘導加熱部５ａが加熱状態にあり、右側の電磁誘導加熱部５ｂに通電しておらず、後側の電磁誘導加熱部５ｃが加熱待機状態にあるときは、図７（ｄ）に示すように、左区画の表示面６１ａのバックライトはオレンジ色であり「左ＩＨ加熱中」と表示され、右区画の表示面６１ｂは真っ黒になっており文字は見えず、後区画の表示面６１ｃのバックライトは青色であり「後ＩＨ加熱待機中」と表示される。左区画の表示面６１ａのバックライトがオレンジ色であり「左ＩＨ加熱中」と表示され、後区画の表示面６１ｃのバックライトが青色であり「後ＩＨ加熱待機中」と表示されるのは、先と同じ理由による。
【００２３】
本実施の形態２では、３つの電磁誘導加熱部５ａ〜５ｃの動作状態を１個所で表示することができる。また、ＬＥＤユニット７１の表示面６１ａ〜６１ｃのバックライトの色をそれぞれ変えられるようにしたので、表示面６１の全体として表現できる文字を増やすことができる。
【００２４】
上記の説明では電磁誘導加熱部を備えた加熱調理器について説明したが、すべての加熱部がヒータである加熱調理器にも本発明を実施することができる。
【符号の説明】
【００２５】
３  天板、４  載置部、５  加熱部（電磁誘導加熱部）、６、６１  表示面（表示エリア）、７、７１  ＬＥＤユニット、８、８１  特殊フィルター（フィルター）、９  ＬＥＤ（発光部）、１０、１０１  ＬＥＤ室、９１  第１のＬＥＤ（発光部）、９１Ａ  青色遮断文字、９２  第２のＬＥＤ（発光部）、９２Ａ  オレンジ色遮断文字、Ａ  文字、Ｂ  バックライト部分。
【図１】
2011096589.tif 000003
【図２】
2011096589.tif 000004
【図３】
2011096589.tif 000005
【図４】
2011096589.tif 000006
【図５】
2011096589.tif 000007
【図６】
2011096589.tif 000008
【図７】
2011096589.tif 000009